(57)【要約】【課題】本発明は、従来の透水性と緑化を兼ねたブロック舗装用区画枠体に識別性を付与したブロック舗装方法の提案である。【解決手段】本発明は、突部と凹部により区画され、突部はその頂部が十字形とされ十字形の透水部が設けられ、凹部は開口され路盤上に敷き設されるブロック舗装用区画枠体と当該ブロック舗装用区画枠体の幅と同じ長さで前記十字形の透水部を覆う幅を有する逆Ｕ字形で天井部に複数の開口部が設けられ下部が開放され、各透水部に対応する位置に横方向に突出する翼が設けられた緑化ブロックからなり、路盤上にブロック舗装用区画枠体を左右前後に敷き設し、凹部にコンクリートあるいはモルタルを充填した後、緑化ブロックを平行に透水部を覆うように配設し、緑化ブロック間の隙間に敷き石またはコンクリート若しくはモルタルを充填した識別性を付与したブロック舗装方法である。【選択図】図１
2010222784.tif 000002
【特許請求の範囲】
【請求項１】
突部と凹部により区画され、突部はその頂部が十字形とされ十字形の透水部が設けられ、凹部は開口されてなる路盤上に敷き設されるブロック舗装用区画枠体と当該ブロック舗装用区画枠体の幅と同じ長さで前記十字形の透水部を覆う幅を有する逆Ｕ字形で天井部に複数の開口部が設けられ下部が開放され、各十字形の透水部に対応する位置に横方向に突出する翼が設けられた緑化ブロックからなり、路盤上にブロック舗装用区画枠体を左右前後に敷き設し、凹部にコンクリートあるいはモルタルを充填した後、緑化ブロックを平行に透水部を覆うように配設し、緑化ブロック間の隙間に敷き石またはコンクリート若しくはモルタルを充填した識別性を付与するブロック舗装方法。
【発明の詳細な説明】
【技術分野】
【０００１】
本発明は、透水性と緑化を兼ねた枠体ブロック舗装技術に属する。
【背景技術】
【０００２】
従来のブロック舗装は、（１）インターロッキングを含むレンガの敷設によるブロック舗装、（２）プラスチック製などの枠体内に木製、タイル製、石製のブロックを挿入し、その枠体に設けた接続部で相互に接続し簡便にブロック舗装を実施する枠体ブロック舗装あるいは（３）前記枠体を敷き設し、枠体に設けた区画部にセメントなどを流し込んでブロック舗装を実施する方法等が知られている。その（２）および（３）のブロック舗装の詳細は特開2000-204507、特開2001-000051、特開2001-003305、特開2001-193006等に開示されている。
【０００３】
枠体に設けられた所定区画内にタイル、石製などの既成のブロックをはめ込みあるいはコンクリートを流し込んでブロック舗装を形成する上記手段の一部には、ブロックを充填する区画とは異なる透水部が設けられている。この透水部を雨水の透水性部とし、またその部分に芝を育成させ緑化ブロック舗装を可能としている。
【０００４】
上記区画枠体を車の走行に耐え、透水性および緑化を可能とし、さらに、駐車時の位置識別が可能となる識別機能を有するブロック舗装方法が求められている。
【先行技術文献】
【特許文献】
【０００５】
【特許文献１】特開2000-204507
【特許文献２】特開2001-000051
【特許文献３】特開2001-003305
【特許文献４】特開2001-193006
【発明の概要】
【発明が解決しようとする課題】
【０００６】
本発明は、従来の透水性と緑化を兼ねたブロック舗装用区画枠体に識別性を付与したブロック舗装方法の提案である。
【課題を解決するための手段】
【０００７】
本発明は、突部と凹部により区画され、突部はその頂部が十字形とされ十字形の透水部が設けられ、凹部は開口されている、路盤上に敷き設されるブロック舗装用区画枠体と当該ブロック舗装用区画枠体の幅と同じ長さで前記十字形の透水部を覆う幅を有する逆Ｕ字形で天井部に複数の開口部が設けられ下部が開放され、各十字形の透水部に対応する位置に横方向に突出する翼が設けられた緑化ブロックからなり、路盤上にブロック舗装用区画枠体を左右前後に敷き設し、凹部にコンクリートあるいはモルタルを充填した後、緑化ブロックを平行に透水部を覆うように配設し、緑化ブロック間の隙間に敷き石またはコンクリート若しくはモルタルを充填した識別性を付与するブロック舗装方法である。
【発明の効果】
【０００８】
ブロック舗装用区画枠体の幅と同じ長さで前記十字形の透水部の幅と同じ幅を有する逆Ｕ字形で天井部に複数の開口部が設けられ下部が開放され、各透水部に対応する位置に横方向に突出する翼が設けられた緑化ブロックからなるため、路盤上にブロック舗装用区画枠体を左右前後に敷き設し、凹部にコンクリートあるいはモルタルを充填した後、緑化ブロックを平行に透水部を覆うように配設し、緑化ブロック間の隙間に敷き石またはコンクリート若しくはモルタルを充填することにより、透水性および緑化部分が平行に並ぶため、緑化部分を縦方向あるいは横方向に筋状に並べることができる。
【図面の簡単な説明】
【０００９】
【図１】は、本発明の識別性を付与したブロック舗装方法による舗装の状態を示す。
【図２】は、本舗装方法に使用するブロック舗装用区画枠体の一例を示す。
【図３】は、本舗装方法に使用する緑化ブロックの一例を示す。
【図４】は、ブロック舗装用区画枠体にモルタルあるいはコンクリートを充填した状態を示す。
【図５】は、図４の状態に緑化ブロックを配列した状態を示す概念図である。
【図６】は、図５の状態にさらに緑化ブロック間に敷き石を嵌めた状態を示す概念図である。
【図７】は、本舗装方法で緑化ブロックに緑化を施した状態を示す概念図である。
【発明を実施するための形態】
【００１０】
以下本発明を図により詳細に説明する。
図1に示すように、本発明の識別性を付与したブロック舗装方法によれば、透水性を兼ねる緑化部分を筋状に配列させることができ、駐車場において、車がどこにあるかの位置関係を明確にすることができる。
【００１１】
図２に本発明に使用するブロック舗装用区画枠体の一例を示している。正面図および側面図で示している。
図に示すように、本区画枠体は１６個の突部と突部に囲まれた凹部からなる。突部間はリブにて連結され、突部頂部は十字形とされ、十字形の開口部が設けられ、路盤面まで連通している。凹部は開口部であり直接路盤面に接するようになっている。本区画枠体の突部、縁部、リブ部は側面にテーパが設けられ入れ子状に積み重ね可能としておくことが好ましい。
【００１２】
図３に示すように、緑化ブロックは直線状の逆Ｕ字形で天井部には複数の開口部が設けられ、底部は開放されているため、植物の緑が緑化ブロック内で延伸し、かつ天井部開口部より延出する。底部側面には、区画枠体の突部頂部に設けられた十字形の開口部に対応する位置に外方向に突出する翼が設けられている。そのため、翼で、緑化ブロックを区画枠体上に配列したとき、上記十字形の開口部のうち緑化ブロックで覆われない部分を覆うことができる。後述する緑化ブロック間にモルタルあるいはコンクリートを充填する際開口部から内部に落下、侵入するなどの支障が起こらないようになっている。
【００１３】
図４から図７は本ブロック舗装方法の手順を示している。
図４は、区画枠体を路盤に敷き設し、凹部にコンクリートあるいはモルタルなどを充填する。その結果表面に十字形の開口部を有するブロック舗装面が得られる。凹部は路面に開口しているためコンクリートあるいはモルタルにより路盤に結合する。十字形の開口部は透水部となると共に、路盤面からの植物が上方に延びだす緑化部分でもある。
【００１４】
図５は、図４の状態の本区画枠体上に緑化ブロックを配列した状態を示している。緑化ブロックは、区画枠体の突部頂部に設けられた十字形の開口部を直線状に覆うように配列される。緑化ブロックの幅は十字形の頂部を覆う幅に設定されているため十字形の縦方向を覆うことになる。緑化ブロックの側面底部に設けられた翼が前記上記十字形の残りの横方向に存在する部分を覆うように設定されている。
【００１５】
図６は、図5の状態の区画枠体において、緑化ブロック間にモルタルあるいは敷き石などを充填した状態を示している。
【００１６】
図７は、本舗装方法によって得られたブロック舗装で、十字形の開口部および緑化ブロックの天上開口部から植物が延伸した状態を示している。各透水部は、芝などの植生部として緑化用に使用することができる。この方法によれば植物の緑が直線状に配列させることができる。
図１に示すように配列方法を変えることにより所定の場所の緑の方向を統一することができる。
【００１７】
本発明のブロック舗装用区画枠体および緑化ブロックは、従来の区画枠体と同様熱可塑性のポリプロピレン、ポリエチレンなどのポリオレフィン類などあるいはポリスチレンなどあるいはステンレススチールなどあるいはステンレススチール、鋼製とすることができる。
【産業上の利用可能性】
【００１８】
透水性および緑化を兼ねたヒートアイランド対策用のブロック舗装が実施可能となる。
【符号の説明】
【００１９】
１  ブロック舗装用区画枠体
２  突部
３  十字形開口部
４  凹部
５  リブ
６  緑化ブロック
７  天井開口部
８  翼
９  敷き石等
１０  モルタル等
【図１】
2010222784.tif 000003
【図２】
2010222784.tif 000004
【図３】
2010222784.tif 000005
【図４】
2010222784.tif 000006
【図５】
2010222784.tif 000007
【図６】
2010222784.tif 000008
【図７】
2010222784.tif 000009